(57)【要約】本発明は、移動（無線）装置と、インターネットのような固定ＩＰ通信網に接続された移動装置の間でユーザーの（通信網上の存在のような情報、ただしこれに限定しない）イベント情報を共用するシステムと方法を提供する。本発明の実施例によれば、このシステムと方法は、無線装置と固定ＩＰ通信網の装置との間および無線装置と他の無線装置との間のインスタント・メッセージをサポートする。無線装置という用語は、セル電話機、無線モデム付きのラップトップ・コンピュータ、無線ＰＤＡおよび他の遠隔無線装置を広く含むように使用されている。
2004501526.tif 000002
【特許請求の範囲】
【請求項１】
無線通信網に関連する特定の無線装置に対するインスタント・メッセージを容易にする方法であって、
前記無線電話通信網のホーム・ロケーション・レジスタから、前記無線電話通信網に接続されている特定の無線装置を示す信号を受信し、
第２の通信網を介して、前記特定の無線装置を示す信号を報知し、
前記第２の通信網上の一人または複数のユーザーの存在に関する情報を、一人または複数のインスタント・メッセージ・プロバイダに質問する、
ことを含む前記方法。
【請求項２】
無線通信網に関連する特定の電話機に対するインスタント・メッセージを容易にする方法であって、
前記無線電話通信網のホーム・ロケーション・レジスタから、前記無線電話通信網に接続されている特定の電話機を示す信号を受信し、
第２の通信網を介して、前記特定の電話機を示す信号を報知し、
前記第２の通信網上の一人または複数のユーザーの存在に関する情報を、一人または複数のインスタント・メッセージ・プロバイダに質問し、
送信される情報を特定の電話機に送るように短メッセージ・サービスに命令する情報とともに、前記一人または複数のインスタント・メッセージ・プロバイダの固定通信網上の一人または複数のユーザーの存在に関する情報から受信した何らかの情報を、前記短メッセージ・サービス・プラットフォームに送信する、
ことを含む前記方法。
【発明の詳細な説明】
【０００１】
（緒言）
本発明は、一般にインスタント・メッセージ（ｉｎｓｔａｎｔ ｍｅｓｓａｇｉｎｇ：ＩＭ）通信に関する。より詳細には、本発明は、移動（無線）装置とインターネットのような固定ＩＰ通信網の間でユーザーの（通信網上の存在などの情報であるが、これに限定しない）イベント情報を共用するシステムと方法である。
【０００２】
（発明の背景）
インスタント・メッセージはインターネット通信の中核になっている。
【０００３】
この用途で使用されると、インスタント・メッセージには、一人のユーザーが、通信網上の他のユーザーの存在に直ちに気がつく能力が含まれる。したがって、インターネットにサインするというユーザーＡの単なるイベントが、ユーザーＡが通信網にいることをユーザーＢに知らせることになる。ユーザーＡが通信網上にいることに気がつくと、ユーザーＢは、メッセージがほぼリアルタイムで受信されることに自信を持って、ユーザーＡにインスタント・メッセージを送ることができる。
【０００４】
アメリカオンラインのインスタント・メッセンジャ（ＡＩＭ）（Ｒ）とＩＣＱ（Ｒ）は、普通、友達リストと呼ばれるデータベースに登録されている他のユーザーのオンラインの位置を通信網上のユーザーが識別できるようにする、インスタント・メッセージ・サービスの２つの例である。このように、友達リストの個々の友人がオンラインである場合を知ることができるため、インスタント通信をすることが容易になる。２０００年現在のインスタント・メッセージのユーザーに関するＡＯＬの統計によれば、１日に約４７６，０００，０００通のメッセージがオンラインで送られることを示している。ＩＣＱのメンバーは、ほぼ３５０，０００，０００通のメッセージを発信する。どの時間においても、このシステムを使用するユーザーは百万人存在する。ＡＩＭおよびＩＣＱは、使用できるちょうど２つのメッセージ・システムである。インスタント・メッセージは、ヤフー、ネットスケープおよびＭＳＮを含む事実上すべてのｗｅｂポータルを介して提供されている。
【０００５】
現時点における固定ＩＰ通信網のインスタント・メッセージの人気には、２つの技術革新が原因となっている。１９９６年、ユーザーのアドレスを固定し、ユーザーがｅメールのアドレス帳と同様な友人、同僚の友達リストをつくって、インスタント・メッセージを介して通信できるようにする方法が設計された。第２の主要な技術革新は、これらのアプリケーションの無料配布である。これは、ＡＯＬがインスタント・メッセンジャをつくった１９９７年に始まる。このインスタント・メッセンジャは長年のあいだ有料の顧客に使用可能であったが、インターネット上で誰でもが無料でダウンロードして使用を開始することが可能になった。ほんの数年前に始まったこの簡単なことから、現在、インスタント・メッセージは、ウインドウ（Ｒ）、ＭＡＣ、リナックスおよびユニックス（Ｒ）のＩＭ顧客に対して固定ＩＰ通信網上のどこででも使用できるようになっている。
【０００６】
しかし、インスタント・メッセージは固定通信網で共通に使用されているが、無線装置に対しては一般に利用可能ではない。必要なものは、移動通信やインターネットのような固定ＩＰ通信網に接続された移動装置間で通信網上の存在のようなユーザーのイベント情報を共用するための方法と装置である。これがあれば、固定通信網のパーソナル・コンピュータと無線通信網の無線装置との間でインスタント・メッセージを利用できるようになる。このように、インターネットのような固定ＩＰ通信網とセルラー／ＰＣＳ通信網上の個々のユーザーの間の通信が容易になる。
【０００７】
（発明の要約）
したがって、本発明の目的は、無線装置と固定ＩＰ通信網の装置の間でインスタント・メッセージを可能にすることである。
【０００８】
無線装置が無線通信網に接続されている場合、イベントが各種インスタント・メッセージ・サービスに報知されうるように、イベントを記録することも本発明の目的である。
【０００９】
本発明の他の目的は、ユーザーが固定通信網にログオンする場合に、各種インスタント・メッセージ・サービスに無線装置のイベントを報知できるように、イベントを受信することである。
【００１０】
本発明のさらに別の目的は、無線通信網と固定ＩＰ通信網の間でインスタント・メッセージが実行されることを可能にするために、セルラー／ＰＣＳ通信網と固定ＩＰ通信網の間の接続を確定することである。
【００１１】
本発明のさらに別の目的は、各種無線ユーザーの間でインスタント・メッセージが生起することを可能にするために、セルラー／ＰＣＳ通信網上の無線ユーザー間の接続を確定することである。
【００１２】
本発明は、無線通信網とインターネットのような固定ＩＰ通信網との間で無線ユーザーのイベント情報を共用するためのシステムと方法である。「無線ユーザーのイベント情報」という言葉は、無線装置または移動装置がそれに関連する通信網上に存在することに関する情報を意味していると理解できるであろう。本発明は、固定ＩＰ通信網のインスタント・メッセージ・サービスと、ワイヤレス・アプリケーション・プロトコル（ＷＡＰ）を介して可能になる無線装置を含むがこれに限定されない無線装置のインスタント・メッセージ・サービスとの間の隙間を埋める利点を提供する。
【００１３】
このことは、インスタント・メッセージ・サービスのユーザーが友達リストに無線ユーザーを含めることができることを意味している。これらの新しい友達リストのメンバーは、彼らの通信網が無線パケット・データ通信網またはページング通信網上のユーザーの装置とともに、本発明によるサービスに統合されるセルラー無線またはＰＣＳ無線のユーザーが含まれる。この説明の中で、「無線装置」とは、無線電話機（セルラー、ＰＣＳ、またはＧＳＭのような他の無線規格に従って構成される無線電話機）、ページャー、携帯情報端末、自販機、乗り物、電気製品、またはそれらに該当する各無線通信網を介した通信網の相互接続されたグローバル通信網（つまり、インターネット）に接続できる他の器具や装置を含むことと理解できるであろう。
【００１４】
インターネットに接続されたユーザーの場合と同様、セルラー／ＰＣＳの加入者は、インターネットでメッセージを送る加入者（Ｉｎｔｅｒｎｅｔ ｍｅｓｓａｇｉｎｇ ｓｕｂｓｃｒｉｂｅｒ）、無線パケット・データ装置、ページング装置、他のセルラーＰＣＳ加入者、つまり通常、固定ＩＰ通信網内で見つかる何らかの他の種類の装置と関連アドレスを含めてもよいインスタント・メッセージ・リストを確定することができる。したがって、セルラー・ユーザーが自身のセルラー通信網にログオンする場合、各種インスタント・メッセージ・サービスは、そのセルラー・ユーザーと連絡がとられるので、固定ＩＰ通信網アドレスの個々のユーザーは、必要に応じて、セルラー・ユーザーにインスタント・メッセージを送ったり、電話をかけたりすることができる。
【００１５】
本発明の一態様は、無線事業者の交換設備にあるホーム・ロケーション・レジスタ（ＨＬＲ）プラットフォームに接続される移動イベント・サーバー（ＭＥＳ）であり、それ自体が短メッセージ・サービス（ＳＭＳ）に接続されている。ＭＥＳも固定ＩＰ通信網（つまりインターネット）に接続される。このＭＥＳ構成は、移動ユーザーのイベント情報の共用を容易にするとともに、移動ユーザーに固定ＩＰ通信網のユーザーに関するＩＭ情報を提供する。どこのサーバーでも、ＭＥＳはＩＭの商標名で呼ばれる。
【００１６】
（発明の詳細な説明）
本発明のその他の目的と利点は、添付の図面とともに次に示す詳細な説明を読めば明らかであろう。
【００１７】
本発明は、無線通信網と固定ＩＰ通信網の間で移動ユーザーのイベント情報を共用して、無線装置と固定ＩＰ通信網上の装置の間でインスタント・メッセージが実行されることを可能にするシステムと方法を含む。
【００１８】
たとえば、セルラー電話のユーザーが自分の電話機の電源を入れると、イベントのトリガが始まり、関連するセルラー通信網のホーム・ロケーション・レジスタ（ＨＬＲ）に記録される。ＨＬＲは、そのイベントを移動イベント・サーバーに連絡するとともに、電話番号、加入者名、通信網の位置、およびＨＬＲで加入者レコードを構成する他のデータを中継する。
【００１９】
セルラー電話のユーザーのインスタント・メッセージ・リストの内容に基づいて、ＭＥＳはセルラー電話のユーザーの存在を各種サービスに報知する（詳細には、これらのサービスは設定中の移動電話ユーザーによって以前に指定されていた）。ＭＥＳは、各種サービスに質問して、セルラー電話のユーザーのリストにある加入者の状態を決定する。ＭＥＳは、セル電話機ユーザーがオンラインであることを他のサービスに知らせる。ＭＥＳの質問の結果に基づいて、ＭＥＳは、各種の他のインスタント・メッセージの加入者または装置がオンラインであることをセルラー電話のユーザーに知らせる。
【００２０】
これとは逆に、固定ＩＰ通信網上のＩＭ加入者がインスタント・メッセージ・サービスにログオンすると、そのインスタント・メッセージ・サービスは、（ＩＭ加入者の友達リストに基づいて）ページング装置または他の無線装置とともに、ＭＥＳサーバーに個々のユーザーがオンラインであることを知らせる。ＭＥＳは、他のセル電話機ユーザーの状態を受信してユーザーがオンラインであることを決定する。
【００２１】
セルラー電話のユーザーの電話機の電源がオンになると、ＭＥＳサーバーは、ＳＭＳサーバーに知らせる。ＳＭＳサーバーは、インスタント・メッセージの加入者の存在についてオタップ（ｏｖｅｒ ｔｈｅ ａｉｒ ｐｒｏｇｒａｍｍｉｎｇ：ＯＴＡＰ）メッセージ（または同様な種類のメッセージ）をセル電話機に送る。このメッセージは、ユーザーのセル電話機の小型画面上のメッセージの形でもよいし、セル電話機に送られた短メッセージでもよい。この方法は、情報を提供する「プッシュ」方法である。
【００２２】
代替方法として、ユーザーがオンラインになったことをＭＥＳがＨＬＲに知らせると、ＨＬＲはセル電話機にユーザーの存在を知らせる。これは、他の形の「プッシュ」方法である。他の代替方法として、セルラー電話は、（ＷＡＰサーバーを介して）誰がオンラインであるかの状態についてインターネット上のＭＥＳに質問する。これは、情報を取得する「プル」方法である。
【００２３】
無線パケット通信網装置またはページング装置の電源がオンになると、当該装置は自身が通信網上に存在することをＭＥＳに知らせる。するとＭＥＳは適切なサービスとユーザーの存在を報知（「プッシュ」）する。「プル」方法の代替方法として、無線パケット通信網およびページング通信網上のユーザーの装置の状態がＭＥＳサーバーを介して質問される。
【００２４】
図１を参照すると、本発明の一実施例によるシステム全体のアーキテクチャが示されている。本発明は、ホーム・ロケーション・レジスタ（ＨＬＲ）１６とインターフェースで接続される移動イベント・サーバー（ＭＥＳ）１８を含む。ＭＥＳ１８とＨＬＲプラットフォーム１６の間の通信は、外部設備インターフェース（ＥＰＩ）、ＳＳ７つまり何らかの適切なインターフェースのような通信インターフェースを介して実行される。ホーム・ロケーション・レジスタは、ラップトップ・コンピュータ２２、無線ＰＤＡ３４、セル電話機２６、および他の遠隔装置２８など、各種無線装置が通信するセルラー／ＰＣＳ通信網１０に接続される。短メッセージ・サービス（ＳＭＳ）サーバー１４はセルラー／ＰＣＳ通信網１０に接続され、無線加入者にメッセージを送る。ワイヤレス・アプリケーション・プロトコル（ＷＡＰ）サーバー２９はセルラー／ＰＣＳ通信網１０に接続され、ＷＡＰにより動作が可能な無線電話機にサービスを提供する。
【００２５】
移動イベント・サーバー１８は、望ましくはインターネットである固定ＩＰ通信網１２に接続される。インスタント・メッセージの加入者３０、３２、３４はインターネットに接続され、ＩＣＱ、ヤフー、およびＡＯＬインスタント・マネージャのような利用可能な各種のインスタント・メッセージ・クライアントを使用している。さらに、インスタント・メッセージ・サービス（つまりサーバー）３６、３８、４０は固定ＩＰ通信網１２に接続される。
【００２６】
図１に示すシステムは、ラップトップ・コンピュータ４８、無線ＰＤＡ５０および無線アクセスを介して無線パケット・データ通信網４４に接続されるその他の遠隔装置５３のような他の無線装置とともに動作する。無線パケット・データ通信網４４は、ゲートウエイ４２を介して固定ＩＰ通信網１２に接続される。同様にページャー５４は、ゲートウエイ４５に接続されるページング通信網４６に無線モードで接続され、固定ＩＰ通信網１２に接続されることが可能になる。
【００２７】
図２を参照すると、セルラー電話のユーザーが通信網に接続する場合のデータの流れが示されている。セルラー・ユーザーはシステムにログオンする６０。ログオンすると、ＨＬＲでイベントが記録され、ＨＬＲはＨＬＲの記憶装置から、電話番号、加入者名、通信網の位置、およびＨＬＲの加入者レコードを構成する他のデータに関する情報を検索する６３。ＨＬＲがメッセージ・イベント・サーバー（ＭＥＳ）に知らせる６４と、セルラー電話のユーザーのメッセージ・リスト（友達リスト）に基づいて、セルラー電話のユーザーの存在をインスタント・メッセージ・サービス３６、３８、４０に報知する６６。次にこれらのサービスはインスタント・メッセージの加入者３０、３２、３４、パケット・データ通信網４４、ページング通信網４６および他のセルラーまたは無線装置６８に適切な連絡を送る。
【００２８】
またセルラー電話のユーザーのインスタント・メッセージ・リストに基づいて、ＭＥＳサーバーは、セルラー電話のユーザーのインスタント・メッセージ・リストに特定の個人または装置が存在しているか否かについて適切なインスタント・メッセージ・サービス３６、３８、４０、ページング通信網４６および他のセルラーまたは無線装置６８に適切な質問をする７０。質問の結果に基づいて、ＭＥＳサーバーは、ＳＭＳサーバーを介してセル電話機ユーザーに短メッセージ・サービスのメッセージを送ることによって、ＳＭＳサーバーに他のインスタント・メッセージの加入者および無線装置がオンラインであることを知らせる７２とともに、ＳＭＳサーバーによりセルラー電話加入者のインスタント・メッセージ・リストを更新する７３。そのほか、ＭＥＳサーバーは、固定ＩＰ通信網上のユーザーがオンラインになったことをＨＬＲに知らせることができる。さらに代替方法として、セル電話機のユーザーは、ＷＡＰインターフェースを介してＭＥＳサーバーに質問することができる。
【００２９】
図３を参照すると、インスタント・メッセージの加入者がシステムのログオンする場合のデータの流れが示されている。固定ＩＰ通信網上のインスタント・メッセージの加入者がインスタント・メッセージ・サービスにログオンする７４と、インスタント・メッセージ・サービスは、加入者のリストにある、たとえば、ページング通信網７６、無線通信網７８およびＭＥＳサーバー８０に、個々のユーザーがオンラインであることを連絡する。つぎにＭＥＳは、セルラー電話のユーザーがオンラインであるか否かを見るためにチェックする８２。セルラー電話のユーザーの電話機の電源がオンの場合、ＭＥＳサーバーがＳＭＳに知らせると、ＳＭＳサーバーはインスタント・メッセージの加入者の存在に関するＯＴＡＰメッセージ（または同種のメッセージ）をセル電話機ユーザーに送る８４。このメッセージは、ユーザーのセル電話機の小型画面上のメッセージの形でもよいし、セル電話機に短メッセージを送ることでもよい。この方法は、一般に「プッシュ」方法として公知である。
【００３０】
上に注意したように、ＭＥＳサーバーは、固定ＩＰ通信網上のユーザーがオンラインになったことをＨＬＲに知らせる。またセルラー電話はインターネット上でＷＡＰサーバーを介して、誰の状態がオンラインであるかを「プル」方法の形でＭＥＳサーバーに質問することができる。
【００３１】
図４を参照すると、無線パケット装置のログオンが示されている。無線パケット装置が最初にログオンする８６と、ＭＥＳサーバーにイベント・メッセージが送られる８８。ＭＥＳサーバーは、無線パケット装置のインスタント・メッセージ・リストに従って、適切なサービスに無線パケット装置の存在を報知する９０。またＭＥＳは、他のサービスから誰がオンラインであるかについての情報を受信する。
【００３２】
図５ａ、５ｂは、本発明のさらなる実施例に従って、ユーザーのイベント情報を複製してＭＥＳに送るためのシステムと方法を示す。
【００３３】
図５ａにおける無線通信網５０２はＨＬＲ５０４に接続され、無線通信網５０２に接続されている無線装置に関するユーザーのイベント情報を送る。ＨＬＲ５０４も移動イベント・サーバー（ＭＥＳ）５０６に接続される。ＨＬＲ５０４は、無線通信網５０２から受信したユーザーのイベント情報を複製して、そのユーザーのイベント情報をＭＥＳ５０６に送る。ユーザーのイベント情報は、無線通信網５０２に接続されている無線装置の存在および位置またはそれらのいずれかに関連する何らかの通信網情報を含む。ＭＥＳ５０６は、ユーザーのイベント情報を受信して処理し、関連する存在および位置またはそれらのいずれかを形成する。
【００３４】
図５ｂは、ユーザーのイベント情報の複製と送信に関連する方法を示す。この方法は、その中でＨＬＲ５０４が無線通信網５０２からユーザーのイベント情報を受信する受信ステップ５５２を含む。この方法は、その中でＨＬＲ５０４がユーザーのイベント情報を複製してＭＥＳ５０６に送る複製・送信ステップ５５４をさらに含む。この方法は、その中でＭＥＳ５０６がユーザーのイベント情報を受信して処理し、関連する存在および位置情報またはそれらのいずれかを形成する受信・処理ステップ５５６をさらに含む。この方法は、その中でＭＥＳ６が、得られた存在情報および位置情報またはそれらのいずれかを格納して出力する出力ステップを含む。
【００３５】
図５ａ、５ｂのシステムおよび方法は、ＨＬＲが、たとえば、ＲＥＧＮＯＴ、ＭＳＩＮＡＣＴまたはＣＳＳＩＮＡＣＴメッセージを受信するたびに、これらの特定のメッセージで或るＨＬＲが動作するように構成できることに基づいている。この動作は、ＭＩＮのような関連情報と、ＭＥＳのような他の装置に対する位置情報とともにメッセージを確定して送ることを含むことができる。この情報を送ることは、たとえば、ＳＳ７リンクやＴＣＰ／ＩＰリンクのような各種通信リンク上で実行される。ＭＥＳは、送られた情報に基づいて、関連する無線装置が無線通信網および無線装置の位置またはそれらのいずれかと接続されるか切り離されるかを決定することができる。このシステムと方法は、たとえば、ＩＳ−４１やＧＳＭ  ＭＡＰのような各種シグナリング・プロトコルに応用可能である。
【００３６】
図６ａ、６ｂは、本発明のさらなる実施例に従って、リンクを監視するとともにＳＳ７メッセージを送るためのシステムと方法を示している。図６ａは、信号中継局（ｓｉｇｎａｌ ｔｒａｎｓｆｅｒ ｐｏｉｎｔ：ＳＴＰ）６０４、６０６に接続され、ＳＳ７メッセージのトラヒックを転送するＳＳ７網６０２を有するシステムを示す。１つのＳＴＰ６０４は、各スニファー（ｓｎｉｆｆｅｒ）６１４、６１６を介してＨＬＲ６０８、６１０に接続される。同様に、もう１つのＳＴＰ６０６は、各スニファー（ｓｎｉｆｆｅｒ）６１８、６２０を介してＨＬＲ６０８、６１０に接続される。スニファー６１４、６１６、６１８、６２０は、ＳＳ７網を探知して、すべてのＳＳ７メッセージまたはＳＳ７メッセージの濾波されたサブセットのいずれかを複製し、ＭＥＳ６１２のような他の装置に送ることを可能にする。さらに、監視用ポートまたは外部のリンクを用いて、通信網上のＳＳ７トラヒックを直接ＳＴＰ６０６で監視することが可能である。たとえば、Ｔｅｋｅｌｅｃで製造されたＳＴＰは監視用ポートが内蔵されており、各種メッセージ用のＳＳ７網を監視することを可能にする。これらのメッセージは、ＳＴＰ６０６で濾波されるか、オプションとしてＳＴＰ６０６とＭＥＳ６１２の中間に配置された外部のプリプロセッサ６２２内で濾波される。代替方法として、ＳＴＰ６０６には、すべてのメッセージまたはメッセージの濾波されたサブセットのいずれかを複製して、ＭＥＳ６１２のような外部装置に送ることを可能にする何らかの形式の外部リンクを含めてもよい。
【００３７】
図６ｂは、リンク監視とＳＳ７メッセージを送ることに関連する方法を示す。この方法は、その中で適切なＨＬＲへのＳＳ７メッセージに対してＳＳ７網が探知または監視される、探知ステップ６５２を含む。この方法は、その中でＭＥＳ６１２がＳＳ７網のメッセージを受信し、それらのメッセージを処理して、関連する存在情報および位置情報またはそれらのいずれかを形成する受信・処理ステップ６５４をさらに含む。それだけでなく、この方法は、その中で得られた存在情報および位置情報またはそれらのいずれかをＭＥＳが出力する出力ステップを含む。このシステムと方法は、たとえば、ＩＳ−４１やＧＳＭ  ＭＡＰのようないろいろなシグナリング・プロトコルに適用可能である。
【００３８】
図７ａ、７ｂは、本発明のさらなる実施例に従って、ＨＬＲトリガを使用して、存在情報および位置情報またはそれらのいずれかをＭＥＳに送るためのシステムと方法を示す。
【００３９】
図７ａは、ＨＬＲ７０４に接続され、無線通信網７０２に接続されている無線装置に関連するユーザーのイベント情報（メッセージ）を送る無線通信網７０２を示す。ＨＬＲ７０４も、移動イベント・サーバー（ＭＥＳ）７０６にさらに接続され、ＨＬＲのトリガ条件に基づいて、関連する存在情報および位置情報またはそれらのいずれかを送る。
【００４０】
図７ｂは、ＨＬＲのトリガを使用してＭＥＳ７０６に存在情報および位置情報またはそれらのいずれかを送ることに関連する方法を示す。この方法は、その中でＨＬＲがユーザーのイベント情報（メッセージ）を受信する受信ステップ７５２を含む。この方法は、その中でＨＬＲ７０４がユーザーのイベント情報を処理する処理ステップ７５４をさらに含む。処理ステップ７５４は、ＳＳ７メッセージを介して、特定な該当フィールドを解析（ｐａｒｓｉｎｇ）することと、トリガ条件７５６が満足されているか否かについての決定を含む。トリガ条件７５６は、ＭＥＳ７０６のようなプロキシ・サーバーに無線装置の存在情報および位置情報またはそれらのいずれかを送るために設備されているＨＬＲ７０４で使用されうる。ＨＬＲのトリガ条件には、プロキシ・サーバーに送るためにトリガのベースが無線装置に備えられているか否かのような情報を含めてもよい。トリガが検出されない場合、この方法はなにもしない動作７５８をとる。代替方法として、トリガ条件が検出される場合、この方法は、その中でＨＬＲが存在情報および位置情報またはそれらのいずれかを送る、送信ステップ７６０に進む。この方法は、その中でＭＥＳ７０６が存在情報および位置情報またはそれらのいずれかをＨＬＲ７０４から受信する、受信ステップをさらに含む。
【００４１】
図８ａ、８ｂは、発明のさらなる実施例に従って、非ＳＳ７網におけるユーザーのイベント情報を得るために、ＨＬＲをポーリングするＭＥＳを使用するためのシステムと方法を示す。
【００４２】
図８ａは、ＨＬＲ８０４に接続され、無線通信網８０２に接続されている無線装置に関連するユーザーのイベント情報を送る無線通信網７０２を示す。ＨＬＲ８０４は、ＥＰＩ接続または他の適切なインターフェースのような非ＳＳ７リンクを介して、移動イベント・サーバー（ＭＥＳ）７０６にさらに接続される。
【００４３】
図８ｂは、非ＳＳ７網におけるユーザーのイベント情報を得るためにＨＬＲをポーリングするＭＥＳを使用するための関連する方法を示す。この方法は、その中でＭＥＳ８０６が非ＳＳ７リンクを介してＨＬＲ８０４のデータベースをポーリングするポーリング・ステップ８５２を含む。この方法は、その中で、ＨＬＲのポーリングへの応答がＭＥＳ８０６によって受信される、受信ステップ８５４をさらに含む。この方法は、その中でＭＥＳ８０６が、存在情報および位置情報またはそれらのいずれかを形成するためにＨＬＲの応答データを処理する、処理ステップ８５６をさらに含む。この方法は、その中でＭＥＳ８０６が、得られた存在情報および位置情報またはそれらのいずれかを出力する、出力ステップ８５８を含む。このシステムと方法は、たとえば、ＩＳ−４１やＧＳＭ  ＭＡＰのようないろいろなシグナリング・プロトコルに適用可能である。
【００４４】
図９ａ、９ｂは本発明のさらなる実施例に従って、ＳＳ７網におけるユーザーのイベント情報を得るためにＨＬＲをポーリングするＭＥＳを使用するためのシステムと方法を示す。図９ａ、９ｂに示すシステムと方法は、上の図８ａ、８ｂに対して説明したシステムと方法に類似している。唯一の相違点は、図９ａ、９ｂのシステムと方法がＭＥＳとＨＬＲ間のＳＳ７リンクに関連していることである。
【００４５】
図１０ａ、１０ｂは本発明のさらなる実施例に従って、ＭＳＣが発生した存在および位置またはそれらのいずれかのＳＳ７メッセージを使用するためのシステムと方法を示す。
【００４６】
図１０ａは、ＳＳ７網１００２に接続され、ＨＬＲ１００４にＳＳ７メッセージを送るＭＳＣ１０００を含むシステムを示す。
【００４７】
図１０ｂは、ＭＳＣが発生した存在および位置またはそれらのいずれかのＳＳ７メッセージを使用するための関連する方法を示す。この方法は、その中でＭＳＣ１０００が存在および位置またはそれらのいずれかのＳＳ７メッセージを形成する、形成ステップ１０５２を含む。たとえば、ＧＳＭ  ＭＡＰの次回のバーションアップでは、ＣＡＭＥＬアプリケーション・プロトコル・シグナリング・バージョン３の完全なＣ７スタック、勧告３ＧＰＰ  ２３．０７８のサポートを必要とする。この新しい規格では、ＳＳ７メッセージに直接含まれる存在情報および位置情報またはそれらのいずれかが配慮されている。この方法には、その中で、ＭＳＣが存在および位置またはそれらのいずれかのＳＳ７メッセージをＨＬＲ１００４に送る、送信ステップ１０５４がさらに含まれる。この方法は、その中で、ＨＬＲ１００４が存在および位置またはそれらのいずれかのＳＳ７メッセージを受信して、ＭＥＳ１００６のような他の装置にプッシュする、受信・プッシュ・ステップ１０５６をさらに含む。この方法は、その中で、ＭＥＳ１００６が存在および位置またはそれらのいずれかのＳＳ７メッセージを受信して、存在情報および位置情報またはそれらのいずれかを抽出する受信ステップ１００５も含む。
【００４８】
無線通信網と固定ＩＰ通信網の間で移動ユーザーのイベント情報を共用するためのシステムと方法を説明してきた。いくつかの好適実施例に従って本発明を説明してきた。しかし、本発明の範囲を逸脱することなく、説明されているように本発明に対して各種の修正や改善を加えることは当業者には理解できるであろう。本発明の範囲は特許請求の範囲だけで限定されている。
【図面の簡単な説明】
【図１】
本発明の一実施例によるシステム全体のアーキテクチャを示す図。
【図２】
本発明のさらなる実施例に従って、セルラー電話のユーザーがセルラー通信網に接続する場合のデータの流れを示す図。
【図３】
本発明の他の実施例に従って、インスタント・メッセージの加入者が通信網にログオンする場合のデータの流れを示す図。
【図４】
本発明のさらなる実施例に従って、データパケットシステムが、ＭＥＳに自身の存在に関する情報を知らせる場合のデータの流れを示す図。
【図５】
本発明のさらなる実施例に従って、ユーザーのイベント情報を複製したＭＥＳに送るためのシステムと方法を示す図であって、ａはシステムの接続を示す図、ｂは方法を構成する各種ステップを示す図。
【図６】
本発明のさらなる実施例に従って、リンク監視とＳＳ７メッセージを送るためのシステムと方法を示す図であって、ａはシステムの接続を示す図、ｂは方法を構成する各種ステップを示す図。
【図７】
本発明のさらなる実施例に従って、存在情報および位置情報またはそれらのいずれかをＭＥＳに送ることにＨＬＲのトリガを使用するためのシステムと方法を示す図であって、ａはシステムの接続を示す図、ｂは方法を構成する各種ステップを示す図。
【図８】
本発明のさらなる実施例に従って、非ＳＳ７網におけるユーザーのイベント情報を求めるためにＨＬＲをポーリングするＭＥＳを使用するためのシステムと方法を示す図であって、ａはシステムの接続を示す図、ｂは方法を構成する各種ステップを示す図。
【図９】
本発明のさらなる実施例に従って、ＳＳ７網におけるユーザーのイベント情報を求めるためにＨＬＲをポーリングするＭＥＳを使用するためのシステムと方法を示す図であって、ａはシステムの接続を示す図、ｂは方法を構成する各種ステップを示す図。
【図１０】
本発明のさらなる実施例に従って、ＭＳＣを使用して発生した存在および位置またはそれらのいずれかのＳＳ７メッセージを使用するためのシステムと方法を示す図であって、ａはシステムの接続を示す図、ｂは方法を構成する各種ステップを示す図。
【図１】
2004501526.tif 000003
【図２】
2004501526.tif 000004
【図３】
2004501526.tif 000005
【図４】
2004501526.tif 000006
【図５Ａ】
2004501526.tif 000007
【図５Ｂ】
2004501526.tif 000008
【図６Ａ】
2004501526.tif 000009
【図６Ｂ】
2004501526.tif 000010
【図７Ａ】
2004501526.tif 000011
【図７Ｂ】
2004501526.tif 000012
【図８Ａ】
2004501526.tif 000013
【図８Ｂ】
2004501526.tif 000014
【図９Ａ】
2004501526.tif 000015
【図９Ｂ】
2004501526.tif 000016
【図１０Ａ】
2004501526.tif 000017
【図１０Ｂ】
2004501526.tif 000018
【国際公開パンフレット】
2004501526.tif 000019
2004501526.tif 000020
2004501526.tif 000021
2004501526.tif 000022
2004501526.tif 000023
2004501526.tif 000024
2004501526.tif 000025
2004501526.tif 000026
2004501526.tif 000027
2004501526.tif 000028
2004501526.tif 000029
2004501526.tif 000030
2004501526.tif 000031
2004501526.tif 000032
2004501526.tif 000033
2004501526.tif 000034
2004501526.tif 000035
2004501526.tif 000036
2004501526.tif 000037
2004501526.tif 000038
2004501526.tif 000039
2004501526.tif 000040
2004501526.tif 000041
2004501526.tif 000042
【国際公開パンフレット（コレクトバージョン）】
2004501526.tif 000043
2004501526.tif 000044
【国際調査報告】
2004501526.tif 000045
2004501526.tif 000046
2004501526.tif 000047